(57)【要約】【課題】定着温度の過昇判定において、誤判定抑止とハードウェア故障時の安全性を両立できる画像形成装置を提供する。【解決手段】トナー像を記録紙に定着ヒーターＨを用いて熱定着させる定着装置７を有する画像形成装置１であって、定着温度を検出する温度センサー７３と、温度センサー７３によって検出された定着温度に基づいて、定着温度が上がり過ぎた第１過昇状態であると判定した場合に、定着ヒーターＨへの電源供給を遮断する異常時制御を実行する過昇判定部９２と、定着装置７の臭気レベルを検出する臭気センサー８４とを具備し、過昇判定部９２は、臭気センサー８４によって検出された臭気レベルが予め設定された閾臭気レベル以上になると、定着温度に拘わらず異常時制御を実行する。【選択図】図３
2017211577.tif 000002
【特許請求の範囲】
【請求項１】
トナー像を記録紙に定着ヒーターを用いて熱定着させる定着装置を有する画像形成装置であって、
定着温度を検出する温度センサーと、
前記温度センサーによって検出された定着温度に基づいて、定着温度が上がり過ぎた過昇状態であると判定した場合に、前記定着ヒーターへの電源供給を遮断する異常時制御を実行する過昇判定部と、
前記定着装置の臭気レベルを検出する臭気センサーと、を具備し、
前記過昇判定部は、前記臭気センサーによって検出された臭気レベルが予め設定された閾臭気レベル以上になると、前記定着温度に拘わらず前記異常時制御を実行することを特徴とする画像形成装置。
【請求項２】
前記過昇判定部は、前記温度センサーによって検出された定着温度に基づいて前記異常時制御を実行した場合、電源スイッチのオフオンによって電源が再投入力されると前記異常時制御を解除させ、前記臭気センサーによって検出された臭気レベルに基づいて前記異常時制御を実行した場合、電源スイッチのオフオンによって電源が再投入力されても前記異常時制御を維持させることを特徴とする請求項１記載の画像形成装置。
【請求項３】
前記臭気センサーは、前記定着装置の周辺の空気を機外に排気する排気ダクト内に配置されていることを特徴とする請求項１又は２記載の画像形成装置。
【請求項４】
前記排気ダクト内には、送風ファンと、揮発性有機化合物を吸着するフィルターとが配置され、
前記臭気センサーは、前記フィルターよりも前記送風ファンによって形成される空気流の上流側に配置されていることを特徴とする請求項３記載の画像形成装置。
【請求項５】
前記臭気センサーは、トナーの過加熱臭と、記録紙の過加熱臭と、前記定着装置の構成部品の温度過昇臭との少なくともいずれか１つの臭気レベルを検出することを特徴とする請求項１乃至４のいずれかに記載の画像形成装置。
【発明の詳細な説明】
【技術分野】
【０００１】
本発明は、トナー像を記録紙に定着ヒーターを用いて熱定着させる定着装置を有する画像形成装置に関する。
【背景技術】
【０００２】
定着装置は、互いに押圧当接する一対の加熱部材と加圧部材とを備え、加熱部材と加圧部材との間で記録紙を挟持搬送することでトナー像を熱定着させる。従って、定着装置おける定着温度の過昇による重篤な故障状態が発生した場合には、発煙、異臭といった利用者にとって不快な現象を引き起こす。そこで画像形成装置には、定着温度の過昇を判定した場合に、定着装置への電源供給を遮断した上で異常メッセージ表示、操作受付禁止などのエラー制御モードを発動することで定着装置を重篤な故障から保護した上で利用者に警告を発して利用を中断させる手段が備わっている（例えば、特許文献１参照）。
【０００３】
定着装温度の過昇判定は、図５に示すように、過昇判定温度Ｔ１と、過昇判定時間ｔとを予め設定しておき、検出された定着温度が過昇判定温度Ｔ１を過昇判定時間ｔの間継続して超える場合に過昇と判定する方法が一般的に行われている。
【先行技術文献】
【特許文献】
【０００４】
【特許文献１】特開平１０−３０７５１４号公報
【特許文献１】特開平４−２２３４８０号公報
【発明の概要】
【発明が解決しようとする課題】
【０００５】
過昇判定温度Ｔ１は、定着装置の通常制御温度Ｔ２と、定着装置が故障してしまう故障温度Ｔ３との間に設定される。過昇判定温度Ｔ１が通常制御温度Ｔ２に近ければ定着温度を過昇と誤判定する虞が高くなる。逆に過昇判定温度Ｔ１が故障温度Ｔ３に近ければ過昇判定時に定着装置への給電停止が間に合わず定着装置が故障する虞が高くなる。
【０００６】
また、過昇判定時間ｔは、定着温度のオーバーシュートが発生した場合に過昇と判定しないように設けられている。これは過昇判定温度Ｔ１と通常制御温度Ｔ２の間に十分な差があれば、定着温度のオーバーシュートで過昇判定温度Ｔ１を越えることがないため、過昇判定時間ｔは不要である。しかし、年々の印刷速度の向上にともなって定着装置の通常制御温度Ｔ２が高く設定されているため、過昇判定温度Ｔ１と通常制御温度Ｔ２との差が小さくなってきている。その中で誤判定を防止するには、過昇判定温度Ｔ１をより高温に設定するか、あるいは過昇判定時間ｔをより長時間に設定することが有効である。但し、異常高温を判定する過昇判定温度Ｔ１は、定着装置の故障回避や安全性を担保するためには、より高温に設定することはできないので、過昇判定時間ｔをより長時間に設定せざるをえない。ところが定着温度を検出する定着温度センサーや定着ヒーターを駆動する定着ヒーター駆動回路等のハードウェアの故障によりヒーター制御ができなくなった場合は、過昇判定時間ｔの経過後に定着温度の過昇判定を行うのでは対処が遅れる場合があり、十分に定着装置の故障回避や安全性を担保しているとは言えないという問題点があった。
【０００７】
本発明の目的は、このような状況に鑑みてなされたものであり、上記問題点を解消し、定着温度の過昇判定において、誤判定抑止とハードウェア故障時の安全性を両立できる画像形成装置を提供することにある。
【課題を解決するための手段】
【０００８】
本発明の画像形成装置は、トナー像を記録紙に定着ヒーターを用いて熱定着させる定着装置を有する画像形成装置であって、定着温度を検出する温度センサーと、前記温度センサーによって検出された定着温度に基づいて、定着温度が上がり過ぎた過昇状態であると判定した場合に、前記定着ヒーターへの電源供給を遮断する異常時制御を実行する過昇判定部と、前記定着装置の臭気レベルを検出する臭気センサーとを具備し、前記過昇判定部は、前記臭気センサーによって検出された臭気レベルが予め設定された閾臭気レベル以上になると、前記定着温度に拘わらず前記異常時制御を実行することを特徴とする。
さらに、本発明の画像形成装置において、前記過昇判定部は、前記温度センサーによって検出された定着温度に基づいて前記異常時制御を実行した場合、電源スイッチのオフオンによって電源が再投入力されると前記異常時制御を解除させ、前記臭気センサーによって検出された臭気レベルに基づいて前記異常時制御を実行した場合、電源スイッチのオフオンによって電源が再投入力されても前記異常時制御を維持させても良い。
さらに、本発明の画像形成装置において、に排気する排気ダクト内に配置されていても良い。
さらに、本発明の画像形成装置において、前記排気ダクト内には、送風ファンと、揮発性有機化合物を吸着するフィルターとが配置され、前記臭気センサーは、前記フィルターよりも前記送風ファンによって形成される空気流の上流側に配置されていても良い。
さらに、本発明の画像形成装置において、前記臭気センサーは、トナーの過加熱臭と、記録紙の過加熱臭と、前記定着装置の構成部品の温度過昇臭との少なくともいずれか１つの臭気レベルを検出しても良い。
【発明の効果】
【０００９】
本発明によれば、過昇判定時間を比較的長い時間に設定しても、ハードウェアの故障によりヒーター制御ができなくなった場合に、臭気センサーによって検出された臭気レベルに基づいて異常時制御を実行できるため、定着温度の過昇判定において、誤判定抑止とハードウェア故障時の安全性を両立できるという効果を奏する。
【図面の簡単な説明】
【００１０】
【図１】本発明に係る画像形成装置の実施の形態の内部構成を示す断面模式図である。
【図２】図１に示す定着装置及び排気ダクト内の構成を示す断面模式図である。
【図３】本発明に係る画像形成装置の実施の形態の構成を示す概略ブロック図である。
【図４】本発明に係る画像形成装置の実施の形態における過昇判定動作を説明するフローチャートである。
【図５】定着温度に基づく過昇判定動作を説明する説明図である。
【発明を実施するための形態】
【００１１】
次に、本発明の実施の形態を、図面を参照して具体的に説明する。
【００１２】
本実施の形態の画像形成装置１は、図１を参照すると、原稿読取部２と、原稿給送部３と、本体部４と、操作部５とを備えている。原稿読取部２は、本体部４の上部に配設され、原稿給送部３は、原稿読取部２の上部に配設されている。操作部５は、スタートキー、テンキー等の操作キーやＬＣＤ等の表示部を備え、本体部４の手前側に配設されている。
【００１３】
原稿読取部２は、スキャナー２１と、プラテンガラス２２と、原稿読取スリット２３とを備える。スキャナー２１は、露光ランプ２４及びＣＣＤ(Charge Coupled Device)センサー２５等から構成され、原稿給送部３による原稿の搬送方向に移動可能に構成されている。プラテンガラス２２は、ガラス等の透明部材により構成された原稿台である。原稿読取スリット２３は、原稿給送部３による原稿の搬送方向と直交方向に形成されたスリットを有する。
【００１４】
プラテンガラス２２に載置された原稿を読み取る場合には、スキャナー２１は、プラテンガラス２２に対向する位置に移動され、プラテンガラス２２に載置された原稿を走査しながら原稿を読み取って画像データを取得し、取得した画像データを本体部４に出力する。また、原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データを取得し、取得した画像データを本体部４に出力する。
【００１５】
原稿給送部３は、原稿載置部３１と、原稿搬送機構３２と、原稿排出部３３とを備えている。原稿載置部３１に載置された原稿は、原稿搬送機構３２によって、１枚ずつ順に繰り出されて原稿読取スリット２３に対向する位置へ搬送され、その後、原稿排出部３３に出力される。なお、原稿給送部３は、可倒式に構成され、原稿給送部３を上方に持ち上げることで、プラテンガラス２２の上面を開放させることができる。
【００１６】
本体部４は、記録部６と、定着装置７とを備えると共に、給紙部４１と、給紙ローラー４２と、搬送ローラー４３と、排出ローラー４４と、排出空間４５とを備えている。給紙部４１は、複数枚の記録紙Ｐが収納される給紙カセットであり、本体部４の下部に配置されている。給紙ローラー４２は、給紙部４１から記録紙Ｐを１枚ずつ搬送ローラー４３に向けて繰り出す。搬送ローラー４３は、給紙部４１からの記録紙Ｐを記録部６に搬送する。記録部６及び定着装置７によって印刷が施された記録紙Ｐは、排出ローラー４４によって、原稿読取部２と本体部４との間に形成された排出空間４５に排出される。
【００１７】
記録部６は、像担持体である感光体ドラム６１と、帯電部６２と、露光部６３と、現像部６４と、転写部６５と、クリーニング部６６とを備えている。帯電部６２は、感光体ドラム６１を一様に帯電させる帯電ローラーである。露光部６３は、レーザー装置やミラー等を備えた光学ユニットである。露光部６３は、帯電部６２に一様に帯電された感光体ドラム６１に対し、画像データに基づくレーザー光を出力して露光し、感光体ドラム６１の表面に静電潜像を形成する。現像部６４は、トナーとキャリアとからなる２成分現像剤を用いて感光体ドラム６１に形成された静電潜像を現像する現像ユニットであり、静電潜像に基づいたトナー像を感光体ドラム６１上に形成させる。転写部６５は、現像部６４によって感光体ドラム６１上に形成されたトナー像を記録紙Ｐに転写させる。転写部６５によってトナー像が転写された記録紙Ｐは、定着装置７によって加熱されトナー像が記録紙Ｐに定着される。そして感光体ドラム６１上に残存するトナーは、クリーニング部６６によって除去される。
【００１８】
定着装置７は、記録紙Ｐの加熱を行う加熱部として加熱ローラー７１と、加圧を行う加圧部として加圧ローラー７２と、加圧ローラー７２を加熱ローラー７１に押し付けて圧接させる図示しない付勢部とを備えている。また、定着装置７の周辺と、本体部４の形成された排気口４ａとを接続し、定着装置７周辺の空気を本体部４外に排気する排気ダクト８１が設けられている。
【００１９】
図２を参照すると、加熱ローラー７１は、記録紙搬送方向と直角をなす記録紙幅方向に水平にして配置されている。加熱ローラー７１は、鉄やアルミニウム等の金属からなる芯金７１ａの外側に、シリコンゴム、スポンジ等からなる弾性部材層７１ｂが設けられ、弾性部材層７１ｂの外側に、記録紙Ｐの離型性を高めるため、フッ素系樹脂等の薄層の離型層７１ｃが形成されている。また、加熱ローラー７１は、通電により発熱する定着ヒーターＨ（例えば、ハロゲンランプ）が内蔵されている。定着ヒーターＨは、加熱ローラー７１の軸線方向、すなわち記録紙幅方向に延び、内側から加熱ローラー７１を加熱する。また、加熱ローラー７１の温度を定着温度として検出し、定着温度に応じた電圧を出力する温度センサー７３が加熱ローラー７１の近傍に配置されている。温度センサー７３としては、例えばサーミスタや熱電対等を用いることができる。
【００２０】
加圧ローラー７２は、加熱ローラー７１と同様に、記録紙幅方向に水平にして配置されている。加圧ローラー７２は、ローラー軸としてのステンレス鋼等の金属製の芯金７２ａの外側に、シリコンゴムやスポンジ等の弾性部材層７２ｂが設けられている。この加圧ローラー７２は、加熱ローラー７１に圧接されて、定着ニップ部Ｎを形成される。この定着ニップ部Ｎを記録紙Ｐが通過することで、記録紙Ｐに転写されたトナー像が熱定着される。
【００２１】
排気ダクト８１は、定着装置７の周辺の温度上昇を抑制する目的で設けられ、排気ダクト８１内に配置された送風ファン８２によって定着装置７周辺の空気を本体部４外に強制排気する。
【００２２】
排気ダクト８１内には、フィルター８３が配置されている。加熱ローラー７１及び加圧ローラー７２の表面は、記録紙Ｐにトナー像を定着させる際に高温になるため、揮発性有機化合物（ＶＯＣ）が発生する。この揮発性有機化合物（ＶＯＣ）をフィルター８３によって吸着する。フィルター８３としては、例えば、炭酸カリウムを添着した活性炭粒子が担持されている難燃性オゾンＶＯＣ除去フィルターを用いることができる。
【００２３】
さらに、排気ダクト８１内のフィルター８３よりも上流側（送風ファン８２によって形成される空気流の上流側）には、臭気センサー８４が配置されている。臭気センサー８４は、臭いの強さを電気信号である臭気レベルに変換する機器であり、トナーや記録紙Ｐの過加熱臭や、定着装置７の構成部品の温度過昇臭の臭気レベルを検出する。臭気センサー８４としては、水晶振動子を用いた脂質膜式センサーや金属酸化物半導体を用いた半導体センサーを用いることができる。脂質膜式センサーは、水晶振動子の表面に脂質膜を形成し、脂質膜に臭気物質が付着したときに変化する周波数を電気的に取り出す仕組みである。また、脂質膜の材料を選択することにより、検知を目的とする臭気物質を選択することができる。半導体センサーでは、臭気物質の金属酸化物半導体への吸着・反応により変化する抵抗値を電気的に取り出す仕組みである。
【００２４】
図３には、画像形成装置１の構成を示すブロック図が示されている。上述の原稿読取部２、原稿給送部３、操作部５、記録部６及び定着装置７は、制御部９に接続され、制御部９によって動作制御される。
また、制御部９には、画像処理部１０と、記憶部１１と、搬送モーターＭと、臭気センサー８４とが接続されている。なお、搬送モーターＭは、搬送ローラー４３、定着装置７の加熱ローラー７１及び加圧ローラー７２、排出ローラー４４等の記録紙Ｐを搬送する搬送手段を共通で駆動する駆動部である。
【００２５】
画像処理部１０は、画像データに対して所定の画像処理を行う部であり、例えば、回転処理、拡大縮小処理や、階調調整、濃度調整等の画像改善処理が行われる。
【００２６】
記憶部１１は、半導体メモリーやＨＤＤ（Hard Disk Drive）等の記憶部であり、原稿読取部２によって読み取ったり、画像処理部１０によって画像処理を行ったりした画像データが記憶されると共に、各種の管理情報が記憶されている。
【００２７】
制御部９は、ＣＰＵ（Central Processing Unit）、ＲＯＭ（Read Only Memory）、ＲＡＭ（Random Access Memory）、不揮発性メモリー９１等を備えたマイクロコンピューター等の情報処理部である。ＲＯＭには画像形成装置１の動作制御を行うための制御プログラムが記憶されている。制御部９は、ＲＯＭに記憶されている制御プログラムを読み出してＲＡＭに展開させて実行することで、装置全体の制御を行う。
【００２８】
定着装置７は、交流電源ＡＣが接続されるＡＣ入力端子７０ａ、７０ｂを備え、ＡＣ入力端子７０ａ、７０ｂ間に定着ヒーター駆動回路７４と定着ヒーターＨと安全リレー７５とが直列に接続されている。定着ヒーター駆動回路７４は、例えば交流電圧が０Ｖと交差するゼロクロスタイミングを検出するゼロクロス検出回路とトライアックとから構成される。制御部９は、ゼロクロス検出回路から入力されるゼロクロス信号と、温度センサー７３によって検出された定着温度とに基づいて、通常制御温度Ｔ２をターゲットにした制御信号を定着ヒーター駆動回路７４に出力する。具体的には、制御部９は、通常制御温度Ｔ２をターゲットにしてトライアックをオンオフさせ、定着ヒーターＨへの電力供給を制御する。
【００２９】
また、制御部９は、制御プログラムの実行によって、定着装置７における定着温度の過昇判定を行う過昇判定部９２として機能する。過昇判定部９２は、温度センサー７３によって検出された定着温度と、臭気センサー８４によって検出された臭気レベルとに基づいて、定着温度の過昇判定を行い、定着温度を過昇と判定した場合に、安全リレー７５を解放させて定着ヒーターＨへの電源供給を遮断する。なお、安全リレー７５は、定着ヒーターＨへの電源供給を遮断する電源遮断回路である。
【００３０】
次に、過昇判定部９２による定着温度の過昇判定動作について図４を参照して詳細に説明する。
図４を参照すると、過昇判定部９２は、温度センサー７３によって検出された定着温度が予め設定された過昇判定温度Ｔ１以上になることを監視すると共に（ステップＳ１）、臭気センサー８４によって検出された臭気レベルが予め設定された閾臭気レベル以上になることを監視している（ステップＳ２）。
【００３１】
ステップＳ１で定着温度が過昇判定温度Ｔ１以上になると、過昇判定部９２は、定着温度が過昇判定温度Ｔ１以上の状態が予め設定された過昇判定時間ｔ以上継続したか否かを判断し（ステップＳ３）、定着温度が過昇判定温度Ｔ１以上の状態が過昇判定時間ｔ以上継続。
以上継続しなかった場合には、ステップＳ１に戻る。
【００３２】
ステップＳ３で定着温度が過昇判定温度Ｔ１以上の状態が過昇判定時間ｔ以上継続した場合、過昇判定部９２は、定着温度が上がり過ぎた第１過昇状態であると判定し（ステップＳ４）、定着装置７の異常時制御を実行し（ステップＳ５）、過昇判定動作を終了させる。ステップＳ５の異常時制御として、過昇判定部９２は、以下に示す（ａ）〜（ｃ）を実行する
（ａ）安全リレー７５を解放させて定着ヒーターＨへの電源供給を遮断する。
（ｂ）定着ヒーター駆動回路７４に対する制御信号をヒーターオフの論理にして、定着ヒーターＨへの電源供給を遮断する。
（ｃ）操作部５の表示部に過昇判定の判定結果を示す画面を表示させる。
【００３３】
ステップＳ２で臭気センサー８４によって検出された臭気レベルが閾臭気レベル以上になると、過昇判定部９２は、第２過昇状態よりも症状が重い第２過昇状態であると判定し（ステップＳ６）、この判定結果（第２過昇状態）を不揮発性メモリー９１に記憶させると共に（ステップＳ７）、ステップＳ５に至って定着装置７の異常時制御を実行し、過昇判定動作を終了させる。
【００３４】
すなわち、温度センサー７３によって検出された定着温度に基づいて第１過昇状態であると判定された場合には、不揮発性メモリー９１に判定結果が記憶されておらず、臭気センサー８４によって検出された臭気レベルに基づいて第２過昇状態であると判定された場合には、不揮発性メモリー９１にその判定結果（第２過昇状態）が記憶された状態となる。制御部９は、電源スイッチＳＷのオフ／オンによる電源の再投入時に、過昇判定部９２として機能し、不揮発性メモリー９１に判定結果（第２過昇状態）が記憶されているか否かを確認する。
【００３５】
不揮発性メモリー９１に判定結果（第２過昇状態）が記憶されていない場合、過昇判定部９２は、定着装置７の異常時制御を解除させる。すなわち、第１過昇状態は、温度センサー７３が故障していない突発的な異常状態である可能性が高く、電源スイッチＳＷのオフ／オンによって電源を再投入させるだけで、定着装置７の異常時制御を解除させることができ、ユーザーにとってダウンタイムが短く高い利便性をもたらす。
【００３６】
不揮発性メモリー９１に判定結果（第２過昇状態）が記憶されている場合、過昇判定部９２は、定着装置７の異常時制御を維持させる。すなわち、第２過昇状態は、定着温度の過昇によってトナーや記録紙Ｐの過加熱臭や、定着装置７の構成部品の温度過昇臭が発生してしまった状態であり、温度センサー７３等のハードウェア故障の虞がある。従って、そして、突発的な過昇判定の誤動作であれば、電源の再投入によって異常時制御を解除して正常に利用することができるが、温度センサー７３等のハードウェア故障が原因の場合は、電源の再投入によって故障状態が解消されることはないため、定着装置７のさらなる使用による重篤な危険状態を回避することができる。
【００３７】
なお、不揮発性メモリー９１に記憶された判定結果（第２過昇状態）は、サービスマンのみが知っている特定の操作でのみ消去可能に構成される。従って、サービスマンが定着装置７を確認して修理するまでは、ユーザーによって定着装置７の異常時制御が解除されることがない。
【００３８】
以上説明したように本実施の形態は、トナー像を記録紙Ｐに定着ヒーターＨを用いて熱定着させる定着装置７を有する画像形成装置１であって、定着温度を検出する温度センサー７３と、温度センサー７３によって検出された定着温度に基づいて、定着温度が上がり過ぎた第１過昇状態であると判定した場合に、定着ヒーターＨへの電源供給を遮断する異常時制御を実行する過昇判定部９２と、定着装置７の臭気レベルを検出する臭気センサー８４とを具備し、過昇判定部９２は、臭気センサー８４によって検出された臭気レベルが予め設定された閾臭気レベル以上になると、定着温度に拘わらず異常時制御を実行する。
この構成により、過昇判定時間ｔを比較的長い時間に設定しても、ハードウェアの故障によりヒーター制御ができなくなった場合に、臭気センサー８４によって検出された臭気レベルに基づいて異常時制御を実行できるため、定着温度の過昇判定において、誤判定抑止とハードウェア故障時の安全性を両立できる。
【００３９】
さらに、本実施の形態において、過昇判定部９２は、温度センサー７３によって検出された定着温度に基づいて異常時制御を実行した場合、電源スイッチＳＷのオフオンによって電源が再投入力されると異常時制御を解除させ、臭気センサー８４によって検出された臭気レベルに基づいて異常時制御を実行した場合、電源スイッチＳＷのオフオンによって電源が再投入力されても異常時制御を維持させる。
この構成により、温度センサー７３によって検出された定着温度に基づく第１過昇状態は、温度センサー７３が故障していない突発的な異常状態である可能性が高く、電源スイッチＳＷのオフ／オンによって電源を再投入させるだけで、定着装置７の異常時制御を解除させることができ、ユーザーにとってダウンタイムが短く高い利便性をもたらす。
【００４０】
さらに、本実施の形態において、臭気センサー８４は、定着装置７の周辺の空気を機外に排気する排気ダクト８１内に配置されている。
この構成により、定着装置７で発生する臭気を確実に検出することができる。
【００４１】
さらに、本実施の形態において、排気ダクト８１内には、送風ファン８２と、揮発性有機化合物を吸着するフィルター８３とが配置され、臭気センサー８４は、フィルター８３よりも送風ファン８２によって形成される空気流の上流側に配置されている。
この構成により、フィルター８３によって軽減される前に臭気を検出することができる。
【００４２】
さらに、本実施の形態において、臭気センサー８４は、トナーの過加熱臭と、記録紙の過加熱臭と、定着装置７の構成部品の温度過昇臭との少なくともいずれか１つの臭気レベルを検出する。
この構成により、定着温度の過昇によって定着装置７で発生する臭気を検出することができる。
【００４３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４４】
１  画像形成装置
２  原稿読取部
３  原稿給送部
４  本体部
４ａ  排気口
５  操作部
６  記録部
７  定着装置
９  制御部
１０  画像処理部
１１  記憶部
２１  スキャナー
２２  プラテンガラス
２３  原稿読取スリット
２４  露光ランプ
２５  ＣＣＤセンサー
３１  原稿載置部
３２  原稿搬送機構
３３  原稿排出部
４１  給紙部
４２  給紙ローラー
４３  搬送ローラー
４４  排出ローラー
４５  排出空間
６１  感光体ドラム
６２  帯電部
６３  露光部
６４  現像部
６５  転写部
６６  クリーニング部
７０ａ、７０ｂ  ＡＣ入力端子
７１  加熱ローラー
７１ａ  芯金
７１ｂ  弾性部材層
７１ｃ  離型層
７２  加圧ローラー
７２ａ  芯金
７２ｂ  弾性部材層
７３  温度センサー
７４  定着ヒーター駆動回路
７５  安全リレー
８１  排気ダクト
８２  送風ファン
８３  フィルター
８４  臭気センサー
９１  不揮発性メモリー
９２  過昇判定部
Ｈ  定着ヒーター
Ｎ  定着ニップ部
【図１】
2017211577.tif 000003
【図２】
2017211577.tif 000004
【図３】
2017211577.tif 000005
【図４】
2017211577.tif 000006
【図５】
2017211577.tif 000007